(57)【要約】【課題】簡便で確実にバックアップファイルを作成できるバックアップシステムを提供する。【解決手段】バックアップシステムは、電子機器１に接続され、電子ファイルを記録する記録装置２と、電子ファイルのバックファイルを記録するバックアップ記録部３１を有するバックアップサーバ３と、を備えている。さらに、バックアップシステムは、記録装置２上の電子ファイルに対して所定の操作が実行されたことを検知する検知部２２と、検知部２２により所定の操作が実行されたことが検知された電子ファイルをバックアップサーバ３に送信するアップロード部２３と、を備えている。バックアップサーバ３は、アップロード部２３から送信された電子ファイルのバックアップファイルをバックアップ記録部３１に作成するバックアップ作成部３２と、を備えている。【選択図】図１
0003215125.tif 000002
【実用新案登録請求の範囲】
【請求項１】
電子機器に接続され、電子ファイルを記録する記録装置と、
前記電子ファイルのバックファイルを記録するバックアップ記録部を有するバックアップサーバと、を備えたバックアップシステムであって、
前記記録装置上の前記電子ファイルに対して所定の操作が実行されたことを検知する検知装置と、
前記検知装置により前記所定の操作が実行されたことを検知された前記電子ファイルを前記バックアップサーバに送信するアップロード装置と、を備え、
前記バックアップサーバは、前記アップロード部から送信された前記電子ファイルのバックアップファイルを前記バックアップ記録部に作成するバックアップ作成部と、を備えたバックアップシステム。
【請求項２】
前記記録装置はＮＡＳであり、
前記バックアップサーバとＮＡＳとは広域通信網で接続されている請求項１記載のバックアップシステム。
【請求項３】
前記バックアップ作成部は、前記バックアップ記録部に前記電子ファイルのスナップショットを作成する請求項１又は２記載のバックアップシステム。
【考案の詳細な説明】
【技術分野】
【０００１】
本考案は、電子ファイルのバックアップファイルを作成するバックアップシステムに関する。
【背景技術】
【０００２】
近年のコンピュータ，スマートフォンをはじめとする電子機器の発達と普及、さらには、事業所等におけるペーパーレス化に伴い、電子機器によって作成される電子ファイル（以下、ファイルと略称する）が増大している。様々な種類のファイルが存在するが、いずれのファイルも作成者等にとっては重要なものであり、喪失することは望ましくない。特に、事業所等で作成されるファイルは事業を継続するために不可欠なものも多く、それらを喪失することは事業に多大な影響を与える。
【０００３】
しかしながら、電子機器自体の故障や、ファイルを記録するハードディスクドライブやフラッシュメモリをはじめとする記録媒体の故障等のために、ファイルの読み出しができなくなるおそれがある。また、近年では、電子機器が、ファイルを暗号化するランサムウェアやファイルを破壊するコンピュータウイルスに感染するおそれもあり、その場合にもファイルを使用することができなくなる。
【０００４】
このような場合に対処する方法の一つは、ファイルのコピー（バックアップファイル）を作成することである。各々のユーザがファイルを更新する度にそのファイルのバックアップファイルを作成すれば上述の問題に対処することができる。しかしながら、この方法ではユーザの負担が大きく、また、バックアップファイルを作成し忘れるおそれもあるため、バックアップファイルの作成の確実性が担保できない。
【０００５】
このような課題を解決するために、自動的にバックアップファイルを作成するバックアップシステムが提案されている（例えば、特許文献１）。特許文献１のバックアップシステムでは、業務サーバと管理ＰＣとデータセンターとから構成され、業務サーバは日毎に発生したと定期的なフルバックアップデータとを管理ＰＣに指定時刻に転送し、管理ＰＣは業務サーバから転送されたデータを保存するとともに、日毎に業務ＰＣから転送されたデータを指定時刻にデータセンターに転送し、データセンターは、転送されたデータを保存するように構成されている。
【先行技術文献】
【特許文献】
【０００６】
【特許文献１】特開２００８−２０４０３６号公報
【考案の概要】
【考案が解決しようとする課題】
【０００７】
しかしながら、特許文献１のバックアップシステムでは、ファイルに対して更新操作が行われた後、バックアップ処理を実行する時期が到来する前に、ファイルが使用不能になった場合には、更新後のファイルのバックアップファイルが作成されていないため、更新後のファイルを復元することができない。
【０００８】
本考案は上記課題に鑑みてなされたものであり、その目的は、簡便で確実にバックアップファイルを作成できるバックアップシステムを提供することにある。
【課題を解決するための手段】
【０００９】
上記課題を解決するための本考案に係る、電子機器に接続され、電子ファイルを記録する記録装置と、前記電子ファイルのバックファイルを記録するバックアップ記録部を有するバックアップサーバと、を備えたバックアップシステムの好適な実施形態の一つでは、前記記録装置上の前記電子ファイルに対して所定の操作が実行されたことを検知する検知装置と、前記検知装置により前記所定の操作が実行されたことを検知された前記電子ファイルを前記バックアップサーバに送信するアップロード装置と、を備え、前記バックアップサーバは、前記アップロード部から送信された前記電子ファイルのバックアップファイルを前記バックアップ記録部に作成するバックアップ作成部と、を備えている。
【００１０】
この構成では、記録装置上の電子ファイルに対して所定の操作が実行されると、その電子ファイルがバックアップの対象ファイルとなる。そして、その電子ファイルがバックアップサーバに送信され、バックアップサーバにおいてバックアップファイルが作成される。これにより、確実にバックアップファイルを作成することができる。特に、電子ファイルに対して所定の操作が実行された際にバックアップファイルを作成する構成とすると、所定の操作を新規作成や更新とすれば、確実に更新された後の電子ファイルのバックアップファイルを作成することができる。
【００１１】
本考案におけるバックアップシステムの好適な実施形態の一つでは、前記記録装置はＮＡＳであり、前記バックアップサーバとＮＡＳとは広域通信網で接続されている。
【００１２】
この構成では、バックアップサーバはＮＡＳの設置場所とは異なった遠隔地に設置することができる。そのため、災害等が発生した際に、双方が被災する可能性が低くなる。また、バックアップサーバを外部事業者が運用管理すれば、ＮＡＳの利用者はバックアップサーバの運用管理を行う必要がなくなり、システム管理者等を配置できない小規模事業者等であってもバックアップシステムを導入することができる。
【００１３】
本考案におけるバックアップシステムの好適な実施形態の一つでは、前記バックアップ作成部は、前記バックアップ記録部に前記電子ファイルのスナップショットを作成する。
【００１４】
この構成では、バックアップ作成部が電子ファイルのスナップショットを作成するため、少ない記録容量で電子ファイルの履歴を記録することができる。これにより、任意の時点の電子ファイルを復元することができる。
【図面の簡単な説明】
【００１５】
【図１】本実施形態におけるバックアップシステムの機能ブロック図である。
【図２】本実施形態におけるバックアップシステムのバックアップ処理の流れを示すフローチャートである。
【考案を実施するための形態】
【００１６】
〔システム概要〕
以下に図を用いて本考案に係るバックアップシステムの実施形態を説明する。図１は、本実施形態におけるバックアップシステムの概略図である。図に示すように、本実施形態におけるバックアップシステムは、クライアント端末１（本考案における電子機器の例）と、ＮＡＳ２と、バックアップサーバ３と、を備えている。クライアント端末１とＮＡＳ２とは、コンピュータネットワークＬ（以下、ネットワークＬと略称する）を介して接続されており、ＮＡＳ２とバックアップサーバ３とは、コンピュータネットワークＷ（以下、ネットワークＷと略称する）を介して接続されている。本実施形態では、ネットワークＬとしてＬＡＮ（Ｌｏｃａｌ Ａｒｅａ Ｎｅｔｗｏｒｋ）を用い、ネットワークＷとしてインターネット（本考案における広域通信網の例）を用いている。
【００１７】
なお、図には１台のクライアント端末１と１台のＮＡＳ２を示しているが、クライアント端末１やＮＡＳ２の台数は適宜変更可能である。
【００１８】
〔クライアント端末〕
クライアント端末１は、ネットワークＬに接続可能、かつ、電子ファイル（以下、ファイルと略称する）を生成可能な電子機器である。クライアント端末１として、例えば、汎用のコンピュータ、スマートフォン、タブレット型端末等を用いることができるため、詳細な説明は省略する。
【００１９】
〔ＮＡＳ〕
ＮＡＳ２は、Ｎｅｔｗｏｒｋ Ａｔｔａｃｈｅｄ Ｓｔｏｒａｇｅ称されるものであり、コンピュータネットワークに接続される補助記録装置である。本実施形態では、クライアント端末１とＮＡＳ２とは同一の事業所内に設置され、上述したようにＬＡＮで構成されたネットワークＬで接続されている。そのため、クライアント端末１とＮＡＳ２との間で相互にファイルのコピーや参照が可能であり、また、クライアント端末１からＮＡＳ２上のファイルを直接編集することも可能になっている。
【００２０】
ＮＡＳ２は、記録部２１と、検知部２２と、アップロード部２３と、制御部２４と、を備えている。記録部２１は、ハードディスクドライブ等で構成され、クライアント端末１で生成等されたファイルを記録保持する。検知部２２は、記録部２１における所定のファイル操作が実行されたことを検知する機能部である。ここで、所定のファイル操作とは、ファイルの内容が変更される操作であり、例えば、新規作成、更新等である。アップロード部２３は、検知部２２が所定のファイル操作を検知した際に、その操作されたファイル（以下、被操作ファイルと称する）をバックアップサーバ３に向けて転送（アップロード）する機能部である。制御部２４は、ＮＡＳ２の様々な動作を制御する機能部である。
【００２１】
検知部２２，アップロード部２３および制御部２４は、それぞれ、ＮＡＳ２のＯＳ（Ｏｐｅｒａｔｉｎｇ Ｓｙｓｔｅｍ）を含むソフトウェアとＮＡＳ２のハードウェアとが協働することよって構成されており、検知部２２およびアップロード部２３はそれぞれ本考案における検知装置およびアップロード装置を構成する。
【００２２】
〔バックアップサーバ〕
バックアップサーバ３は、バックアップファイルを記録保持するための機器であり、例えば、汎用のコンピュータで構成することができる。バックアップサーバ３は、バックアップ記録部３１と、バックアップ作成部３２と、認証部３３と、を備えている。バックアップ記録部３１は、大容量のハードディスクドライブ等の記録媒体で構成することができ、バックアップファイルを記録保持する。バックアップ作成部３２は、ＮＡＳ２からアップロードされたファイルのコピー（バックアップファイル）をバックアップ記録部３１上に作成する機能部である。認証部３３は、ＮＡＳ２から送信される認証データに基づきユーザ認証を行う機能部である。本実施形態では、バックアップ作成部３２および認証部３３は、それぞれバックアップサーバ３のＯＳを含むソフトウェアとバックアップサーバ３のハードウェアとが協働することよって構成されている。
【００２３】
本実施形態では、バックアップサーバ３は、クライアント端末１やＮＡＳ２の設置場所とは異なる遠隔地に設置され、上述したように、バックアップサーバ３はＮＡＳ２とインターネットとして構成されたネットワークＷで接続されており、いわゆるクラウドサーバとして構成されている。
【００２４】
以下に図２のフローチャートを用いて本実施形態におけるバックアップシステムの処理の流れを説明する。なお、以下の処理に先立ち、ＮＡＳ２には固有のユーザＩＤとパスワード（以下、これらを併せて認証データと称する）が設定されている。このようなＮＡＳ２をネットワークＷに接続すると、制御部２４は自身の認証データを自身の識別情報とともにバックアップサーバ３に送信する。一方、バックアップサーバ３はこれらの情報をユーザデータとして記録し、ＮＡＳ２の認証に使用する。同時に、バックアップサーバ３は、ＮＡＳ２に対して、バックアップ記録部３１上の所定の容量の記録領域を割り当てる。なお、ＮＡＳ２の識別情報としてはＮＡＳ２のＩＰアドレスやＭＡＣアドレスを用いることができる。
【００２５】
先ず、ＮＡＳ２が起動すると、ＮＡＳ２の制御部２４は自身の認証データをバックアップサーバ３に送信する。一方、ＮＡＳ２からの認証データを受信したバックアップサーバ３の認証部３３は、記録されているユーザ情報と受信した認証データとの照合を行う（＃０１）。このとき、受信した認証データがユーザ情報として登録されていれば、認証成功として（＃０１のＹｅｓ分岐）、認証が成功した旨をＮＡＳ２に通知し、そのＮＡＳ２からのバックアップ処理を可能とする。一方、認証が失敗した際には（＃０１のＮｏ分岐）、認証が失敗した旨をＮＡＳ２に通知する。
【００２６】
バックアップサーバ３から認証が成功した旨の通知を受信したＮＡＳ２では、検知部２２が記録部２１上のファイルに対して所定の操作が実行されたか否かを判定する（＃０２）。なお、検知部２２が操作の有無を検知する対象を予め設定しておくことができる。本実施形態では、検知対象として、記録部２１上のフォルダ（ディレクトリ）を設定している。また、本実施形態におけるファイルに対する所定の操作とは、上述したように、ファイルの新規作成、更新等である。したがって、検知部２２は、検知対象フォルダ内へのファイルの新規作成や監視対象フォルダに存在しているファイルの更新等の操作を検知する。そして、検知部２２は、それらのファイル操作を検知すると（＃０２のＹｅｓ分岐）、その旨および操作されたファイルに関する情報を制御部２４に通知する。なお、ファイルに関する情報としては、被操作ファイルを特定可能な情報であればよく、例えば、被操作ファイルのフルパスのファイル名を用いることができる。
【００２７】
検知部２２からファイル操作を検知した旨の通知を受けた制御部２４は、アップロード部２３に対して、被操作ファイルをバックアップサーバ３にアップロードするよう指示する。指示を受けたアップロード部２３は、バックアップサーバ３に対して被操作ファイルをアップロードする（＃０３）。
【００２８】
一方、被操作ファイルのアップロード受けたバックアップサーバ３では、バックアップ作成部３２が、そのアップロードされた被操作ファイルのコピー（バックアップファイル）をバックアップ記録部３１上に作成する（＃０４）。なお、上述したように、各々のＮＡＳ２には記録領域が割り当てられているため、バックアップ作成部３２は、被操作ファイルをアップロードしたＮＡＳ２の識別情報に基づいて、バックアップファイルを作成する記録領域を特定し、そこにバックアップファイルを作成する。
【００２９】
バックアップ作成部３２は、ファイルの作成が完了すると、その旨をＮＡＳ２に通知する。バックアップ作成部３２からの通知を受けたＮＡＳ２では、制御部２４がその被操作ファイルに対するバックアップ処理を完了したとする（＃０５）。
【００３０】
このように、本実施形態におけるバックアップシステムでは、ＮＡＳ２上のファイルに対して所定の操作が行われた際にバックアップ処理が実行されるため、ユーザはバックアップ処理を意識する必要がない。また、ファイルに対して所定の操作が行われた時点でバックアップ処理が行われるため、適時なバックアップ処理を行うことができる。また、バックアップサーバ３を外部事業者が運営すれば、ＮＡＳ２の使用者はバックアップサーバ３の管理やメンテナンスを行う必要がないため、システム管理者等を配置できない小規模事業者等であっても、バックアップシステムを導入することができる。
【００３１】
なお、バックアップ作成部３２が被操作ファイルのスナップショットを作成するよう構成することもできる。例えば、バックアップ記録部３１に、ＺＦＳやＢＴＲＦＳ（Ｂ−ＴＲｅｅ Ｆｉｌｅ Ｓｙｓｔｅｍ）のようなスナップショットを作成するファイルシステムを採用すれば、容易にスナップショットの作成が可能となる。特に、バックアップ作成部３２を複数の時点のスナップショットを記録可能に構成することにより、少ない記録容量でファイルの更新履歴を記録することができ、任意の時点のファイルを復元することができる。
【００３２】
ＮＡＳ２の記録部２１にスナップショットを作成することも考えられるが、この場合には、ＮＡＳ２の記録部２１上の通常のファイルを記録するための容量が減少するため、好ましくない。また、ファイルのスナップショットの記録によってハードディスクドライブ等へのアクセスが増大するため、ハードディスクドライブ等の寿命が短くなり、好ましくない。一方、本実施形態のように、バックアップサーバ３のバックアップ記録部３１にスナップショットを作成するように構成し、バックアップサーバ３の運用を外部事業者とすれば、ＮＡＳ２の利用者は記録容量や記録媒体の寿命を気にする必要がなくなる。
【００３３】
〔別実施形態〕
（１）上述の実施形態では、記録装置をＮＡＳ２により構成したが、これに限定されるものではなく、電子機器に内蔵または接続されたハードディスクドライブ等の記録媒体を記録装置とすることができる。
【００３４】
（２）上述の実施形態では、監視装置やアップロード装置をＮＡＳ２により構成したが、これに限定されるものではなく、これらを別体のコンピュータ端末やクライアント端末１によって構成することができる。当然ながら、これらの装置を構成する機能部の配置は定義変更可能である。
【００３５】
（３）上述の実施形態では、ファイルに対して所定の操作が行われた際にバックアップサーバ３に送信するよう構成したが、バックアップサーバ３への送信タイミングはこれに限定されるものではない。例えば、所定の操作が行われたファイルをリスティングしておき、所定の時刻にリスティングされたファイルをバックアップサーバ３にアップロードする構成とすることもできる。この構成であれば、例えば、所定の時刻をトラフィックの少ない時間帯等に設定すれば、業務への影響を小さくすることができる。
【００３６】
（４）上述の実施形態では、検知部２２はファイルに対する所定の操作の検知をリアルタイムで行なったが、所定の操作の検知のタイミングはこれに限定されるものではない。例えば、所定の時刻に、ファイルに対して所定の操作が行われた否かを判定することにより、所定の操作の検知を行うことができる。
【産業上の利用可能性】
【００３７】
本考案は、バックアップシステムに利用することができる。
【符号の説明】
【００３８】
Ｌ：ネットワーク
Ｗ：ネットワーク
１：クライアント端末
２：ＮＡＳ
２：記録装置
２１：記録部
２２：検知部
２２：検知装置
２３：アップロード部
２３：アップロード装置
２４：制御部
３：バックアップサーバ
３１：バックアップ記録部
３２：バックアップ作成部
３３：認証部
【図１】
0003215125.tif 000003
【図２】
0003215125.tif 000004